(57)【要約】【課題】本発明は、生体試料測定装置に関するもので、センサ排出に対する操作性を向上させる事を目的とするものである。【解決手段】そして、この目的を達成するために本発明は、センサ排出操作部５を本体ケース１の他端側に配置したので、このセンサ排出操作部５の操作時には、一端側のセンサに手が触れることはなく、よって、操作性の高いものとする事が出来るのである。  また、本実施形態においては、センサ排出操作部５を本体ケース１の他端側に配置するために、このセンサ排出操作部５と一端側のセンサ排出機構１０は、操作レバー１１で連結する構成としたが、この操作レバー１１を電池収納部８の表示部６側、つまり、遊休空間を活用して配置したので、本体ケース１自体が大型化せず、この点からも操作性の高いものとすることが出来るのである。【選択図】図１
2013124903.tif 000002
【特許請求の範囲】
【請求項１】
一端側にセンサ挿入口、他端側にセンサ排出操作部を有する本体ケースと、
この本体ケースの表面側に設けた表示部と、
前記本体ケース内の裏面側に設けた電池収納部と、
この本体ケース内の一端側に設けたセンサ排出機構と、
を備え、
前記電池収納部の表示部側には、前記センサ排出操作部とセンサ排出機構を連結した操作レバーを設けた生体試料測定装置。
【請求項２】
前記電池収納部は、筒状電池を収納する溝状収納部を複数個並列配置し、隣接する溝状収納部間の表示部側には、操作レバーの摺動部を設けた請求項１に記載の生体試料測定装置。
【請求項３】
溝状収納部間の表示部側には、操作レバーをセンサ排出操作部側に付勢するバネを設けた請求項１または２に記載の生体試料測定装置。
【請求項４】
溝状収納部間の表示部側には、操作レバーが本体ケースの表面側または裏面側に移動する範囲を限定する係合部を設けた請求項１から３のいずれか一つに記載の生体試料測定装置。
【請求項５】
筒状収納部と操作レバーは、異種の合成樹脂によって形成した請求項１から４のいずれか一つに記載の生体試料測定装置。
【発明の詳細な説明】
【技術分野】
【０００１】
本発明は、たとえば血糖値のような生体情報を測定する生体試料測定装置に関するものである。
【背景技術】
【０００２】
従来のこの種生体試料測定装置の構成は、以下のようになっていた。
【０００３】
すなわち、一端側にセンサ挿入口およびセンサ排出操作部を有する本体ケースと、この本体ケースの表面側に設けた表示部と、前記本体ケース内の裏面側に設けた電池収納部とを備え、前記本体ケース内の一端側には、前記センサ排出操作部に連結されたセンサ排出機構を設けた構成となっていた（たとえば下記特許文献１）。
【先行技術文献】
【特許文献】
【０００４】
【特許文献１】特開２００４−６１２０９号
【発明の概要】
【発明が解決しようとする課題】
【０００５】
前記従来例においては、まず、センサ挿入口にセンサを挿入し、次にセンサの点着部に生体試料（たとえば血液）を点着すれば、生体情報が測定出来るようになっている。
【０００６】
そして、この測定が終了すると、センサ排出操作部をセンサ側に操作する事で、センサをセンサ挿入口から押出し、これにより、センサに手を触れることなく、センサの排出が行えるようになっていた。
【０００７】
しかしながら、従来の生体試料測定装置においては、前記センサ排出操作部が本体ケースの一端側でセンサ挿入口に近接する部分に配置されていたので、このセンサ排出操作部の操作時にセンサに手が触れぬようにするためには、十分な注意をもった操作が必要となり、結論として、操作性の低いものであった。
【０００８】
そこで本発明は、操作性を向上することを目的とするものである。
【課題を解決するための手段】
【０００９】
そしてこの目的を達成するために本発明は、一端側にセンサ挿入口、他端側にセンサ排出操作部を有する本体ケースと、この本体ケースの表面側に設けた表示部と、前記本体ケース内の裏面側に設けた電池収納部と、この本体ケース内の一端側に設けたセンサ排出機構と、を備え、前記電池収納部の表示部側には、前記センサ排出操作部とセンサ排出機構を連結した操作レバーを設けた構成とし、これにより、所期の目的を達成するものである。
【発明の効果】
【００１０】
以上のように本発明は、一端側にセンサ挿入口、他端側にセンサ排出操作部を有する本体ケースと、この本体ケースの表面側に設けた表示部と、前記本体ケース内の裏面側に設けた電池収納部と、この本体ケース内の一端側に設けたセンサ排出機構と、を備え、前記電池収納部の表示部側には、前記センサ排出操作部とセンサ排出機構を連結した操作レバーを設けた構成としたものであるので、操作性を向上することが出来る。
【００１１】
すなわち、本発明においては、センサ排出操作部を本体ケースの他端側に配置したので、このセンサ排出操作部の操作時には、一端側のセンサに手が触れることはなく、よって、操作性の高いものとする事が出来るのである。
【００１２】
また、本発明においては、センサ排出操作部を本体ケースの他端側に配置するために、このセンサ排出操作部と一端側のセンサ排出機構は、操作レバーで連結する構成としたが、この操作レバーを電池収納部の表示部側、つまり、遊休空間を活用して配置したので、本体ケース自体が大型化せず、この点からも操作性の高いものとすることが出来るのである。
【００１３】
さらに、本発明において、電池収納部の表示部側に操作レバーの摺動部を設ければ、操作レバーのスムーズな操作が行え、この点からも、操作性の高いものとする事が出来るのである。
【００１４】
つまり、電池収納部は、本体ケースの一端側と他端側において、電池の長さ分以上に存在するものであって、この長い電池収納部によって、操作レバーの摺動案内をする構成とすれば、操作レバーのスムーズな操作が行え、操作性の高いものとする事が出来るのである。
【図面の簡単な説明】
【００１５】
【図１】本発明の一実施形態における生体試料測定装置の表面側の斜視図
【図２】同、裏面側の斜視図
【図３】同、裏面側において電池カバーを外した状態を示す斜視図
【図４】同、図３の下面側から見た状態を示す斜視図
【図５】同、図４の平面図
【図６】同、図５のＡ−Ａ断面図
【図７】同、図５のＢ−Ｂ断面図
【図８】同、操作レバーの斜視図
【図９】同、図５に対応する平面図
【図１０】同、図９のＣ−Ｃ断面図
【図１１】同、操作レバーの裏面側の斜視図
【図１２】同、操作レバーの平面図
【図１３】同、操作レバーを装着した状態を示す断面図
【発明を実施するための形態】
【００１６】
（実施の形態１）
図１、図２において、１は、直方体形状の本体ケースで、この本体ケース１は、下面側が開口した上ケース２と、上面側が開口した下ケース３をその開口部同士を合わせて結合することにより、構成されている。
【００１７】
また、上ケース２の一端側にはセンサ挿入口４が設けられ、他端側にはセンサ排出操作部５が配置されている。
【００１８】
さらに、上ケース２の表面側で、センサ挿入口４とセンサ排出操作部５間には、表示部６が設けられている。
【００１９】
また、下ケース３の他端側（センサ排出操作部５側）には、電池カバー７が着脱自在に装着されている。
【００２０】
図３は、電池カバー７を外した状態を示し、下ケース３内（本体ケース１の裏面側）には、電池収納部８が設けられている。この実施形態における電池収納部８は、円筒状の電池（図示せず）を２本収納させるものであるので、電池収納部８は、円筒状電池を収納する断面が半円状となった溝状収納部９を所定間隔離した状態で並列配置した構成となっている。
【００２１】
図４は、下ケース３を図３の下面側から見た状態（下ケース３は、図１のごとく上面開口部が上方に存在している状態）を示し、電池収納部８の表示部６側（上面側）には、前記センサ排出操作部５とセンサ排出機構１０を連結した操作レバー１１を設けている。
【００２２】
この操作レバー１１は、その一端側においてセンサ排出機構１０に連結されているが、この部分はよく知られているように、センサ挿入口４の本体ケース１内に設けられた接続端子（図示せず）に装着されたセンサ（図示せず）の後端側を図１の左側へと押出すようになっている。
【００２３】
また、操作レバー１１の他端側には、図１で示したセンサ排出操作部５が連結される連結部１２が設けられている。
【００２４】
つまり、本体ケース１の他端側に設けたセンサ排出操作部５を操作すれば、操作レバー１１を介して、センサ排出機構１０が操作され、これによりセンサは本体ケース１の一端側から本体ケース１外に排出されるようになっているのである。
【００２５】
本実施形態においては、操作レバー１１を電池収納部８の表示部６側（上面側）に設けたことが特徴となっているので、以下この部分について、詳細に説明する。
【００２６】
まず、操作レバー１１は、図８、図１０、図１１、図１２から理解されるように、長板形状となっており、その表面の他端側には、上述のごとく、センサ排出操作部５が連結される連結部１２が設けられている。
【００２７】
また、この操作レバー１１の裏面側には、特に図１１から理解されるように、長手方向の中心にわたって、下方に突出した補強リブ１３が形成されている。
【００２８】
そして、この補強リブ１３は、図５〜図７から理解されるように、上記隣接した溝状収納部９間の表示部６側（上面側）に設けた摺動溝１４内を移動するようになっている。
【００２９】
また、操作レバー１１の補強リブ１３の両側部分は、摺動溝１４の両側に設けた摺動部１５上を摺動するようになっている。
【００３０】
つまり、操作レバー１１は、摺動部１５上を摺動することで本体ケース１の他端側から一端側へと移動し、上述のごとく、センサ排出機構１０を操作して、センサを本体ケース１の一端側から本体ケース１外に排出するようになっているのである。
【００３１】
また、図１３に示すごとく、センサ排出のために、本体ケース１の一端側に移動した操作レバー１１を、この本体ケース１の他端側、つまり、センサ排出操作部５側に付勢するバネ１６も溝状収納部９間の表示部６側（上面側）に設けている。
【００３２】
さらに、この溝状収納部９間の表示部６側には、操作レバー１１が本体ケース１の表面側または裏面側に移動する範囲を限定する係合部１７を設けている。
【００３３】
つまり、図１０、図１１に示すごとく、操作レバー１１の補強リブ１３の両側には、一端が操作レバー１１に結合され、他端が一旦下方に延び、その後、操作レバー１１の他端側に延長された係合レバー１８が設けられている。
【００３４】
また、溝状収納部９間の表示部６側で、この係合レバー１８が存在する部分には、この係合レバー１８に図６に示すごとく、係合する係合部１９が一体成型されている。
【００３５】
したがって、係合レバー１８を図４〜図７および図９に示すごとく、溝状収納部９間に設置するときには、まず、補強リブ１３を摺動溝１４内に収める状態とし、この時に、係合レバー１８を係合部１９に係合させ、この状態で正式配置とする。
【００３６】
なお、係合レバー１８と係合部１９の係合状態は、操作レバー１１に設けた開口部２０を介して確認することが出来る。
【００３７】
以上の構成とすることにより、操作レバー１１は本体ケース１の他端側から一端側へと移動し、また、本体ケース１の表面側または裏面側に移動する範囲を限定する（ガタツキ防止）ことが出来る。
【００３８】
また、このとき、溝状収納部９と操作レバー１１は、異種の合成樹脂によって形成しているので、摺動性の極めて高いものとなる。
【００３９】
以上のごとく、本実施形態においては、センサ排出操作部５を本体ケース１の他端側に配置したので、このセンサ排出操作部５の操作時には、一端側のセンサに手が触れることはなく、よって、操作性の高いものとする事が出来るのである。
【００４０】
また、本実施形態においては、センサ排出操作部５を本体ケース１の他端側に配置するために、このセンサ排出操作部５と一端側のセンサ排出機構１０は、操作レバー１１で連結する構成としたが、この操作レバー１１を電池収納部８の表示部６側、つまり、遊休空間を活用して配置したので、本体ケース１自体が大型化せず、この点からも操作性の高いものとすることが出来るのである。
【００４１】
さらに、本実施形態において、電池収納部８の表示部６側に操作レバー１１の摺動部１５を設ければ、操作レバー１１のスムーズな操作が行え、この点からも、操作性の高いものとする事が出来るのである。
【００４２】
つまり、電池収納部８は、本体ケース１の一端側と他端側において、電池の長さ分以上に存在するものであって、この長い電池収納部８によって、操作レバー１１の摺動案内をする構成とすれば、操作レバー１１のスムーズな操作が行え、操作性の高いものとする事が出来るのである。
【産業上の利用可能性】
【００４３】
以上のように本発明は、一端側にセンサ挿入口、他端側にセンサ排出操作部を有する本体ケースと、この本体ケースの表面側に設けた表示部と、前記本体ケース内の裏面側に設けた電池収納部と、この本体ケース内の一端側に設けたセンサ排出機構と、を備え、前記電池収納部の表示部側には、前記センサ排出操作部とセンサ排出機構を連結した操作レバーを設けた構成としたものであるので、操作性を向上することが出来る。
【００４４】
すなわち、本発明においては、センサ排出操作部を本体ケースの他端側に配置したので、このセンサ排出操作部の操作時には、一端側のセンサに手が触れることはなく、よって、操作性の高いものとする事が出来るのである。
【００４５】
したがって、本発明は、血糖値などの生体試料の生体試料測定装置としての活用が期待される。
【符号の説明】
【００４６】
１  本体ケース
２  上ケース
３  下ケース
４  センサ挿入口
５  センサ排出操作部
６  表示部
７  電池カバー
８  電池収納部
９  溝状収納部
１０  センサ排出機構
１１  操作レバー
１２  連結部
１３  補強リブ
１４  摺動溝
１５  摺動部
１６  バネ
１７  係合部
１８  係合レバー
１９  係合部
２０  開口部
【図１】
2013124903.tif 000003
【図２】
2013124903.tif 000004
【図３】
2013124903.tif 000005
【図４】
2013124903.tif 000006
【図５】
2013124903.tif 000007
【図６】
2013124903.tif 000008
【図７】
2013124903.tif 000009
【図８】
2013124903.tif 000010
【図９】
2013124903.tif 000011
【図１０】
2013124903.tif 000012
【図１１】
2013124903.tif 000013
【図１２】
2013124903.tif 000014
【図１３】
2013124903.tif 000015